(57)【特許請求の範囲】
【請求項１】
身体を横臥可能な本体に、押圧ローラを備える台車と、身体の屈曲に沿った形状のガイドレールと、前記台車を前記ガイドレールに摺動させながら移動させる電動モータと、が内設され、前記台車が移動する際に前記押圧ローラが身体に密着して回転するマッサージ治療機において、
前記押圧ローラの内部に遠赤外線ヒータが設けられ、
前記押圧ローラの表面に磁石が混合された複数の揉み玉が設けられると共に、この揉み玉に前記遠赤外線ヒータが設けられた空間と外部に連通した開口孔が設けられ、
前記本体に、遠赤外線ランプが内設された押圧部を備える手持ち式の温熱治療機が設けられ、
前記押圧部はセラミック製で、表面に前記遠赤外線ランプが設けられた空間と外部に連通した開口部が設けられることを特徴とするマッサージ治療機。
【請求項２】
請求項１記載のマッサージ治療機において、
前記本体に、身体を横臥させた状態の足の裏に突起を往復動させて衝打する足マッサージ機が設けられ、
前記足マッサージ機は、水平方向位置調整可能に形成され、未使用時には前記マットの内部に格納可能に形成されることを特徴とするマッサージ治療機。
【請求項３】
請求項１〜２のいずれかに記載のマッサージ治療機において、
前記台車に遠赤外線シートが設けられていることを特徴とするマッサージ治療機。
【請求項４】
前記磁石が混合された揉み玉に代えて、ゲルマニウム製の基材上に磁石を固定した揉み玉であって、遠赤外線の通過孔を備えた揉み玉を使用することを特徴とする請求項１〜３のいずれかに記載のマッサージ治療機。
【請求項５】
前記本体の背当て部の少なくともローラの通過部分に沿ってヒータを配設したことを特徴とする請求項１〜４いずれかに記載のマッサージ治療機。
【請求項６】
請求項１〜５いずれかに記載のマッサージ治療機に、遠赤外線ヒータを内蔵した温熱マットを接続し、
その温熱マットの表面にゲルマニウム製の基材上に磁石を固定した揉み玉であって、遠赤外線の通過孔を備えた揉み玉を多数配設したことを特徴とするマッサージ治療機。
【発明の詳細な説明】
【０００１】
【発明の属する技術分野】
本発明は、マッサージ治療機に関し、特に、揉み玉を有し、かつ、磁気及び遠赤外線を発する押圧ローラが使用者の身体に密着して回転しながら患部を効果的にマッサージするマッサージ治療機に関する。
【０００２】
【従来の技術】
従来、マッサージ治療機は、マットに押圧ローラや揉み玉が内蔵され、これら押圧ローラが使用者の身体に密着しながら回転することによりマッサージするタイプのものがある（特許文献１参照）。
また、肩こりや腰痛の解消法として磁石を身体のツボに貼る方法が用いられている。
【０００３】
【特許文献１】
特開平０５−３１７３７４号公報（第３頁、第６図）
【０００４】
【発明が解決しようとする課題】
しかしながら、前述したマッサージ治療機の押圧ローラには身体のツボを押す作用がなく、揉み玉は身体を引張したり不快な痛みを伴うものが多いという問題点があった。
また、押圧ローラや揉み玉が直接当たらない患部については効果が得られないという問題点があった。
一方、磁石を身体のツボに貼る方法は効果的ではあるが、身体のツボに正確に磁石を貼ることは困難であるし、その位置を特定するのも面倒であった。
【０００５】
そこで、使用者に不快な痛みを与えることなく、身体のツボや筋肉を刺激すると共に、磁気や遠赤外線による即効性を体感でき、心身共に満足できるマッサージ治療機の提供が強く望まれていた。
本発明は、上記問題点を解決するためになされたものであって、その目的とするところは、使用者に不快な痛みを与えることなく身体を外部から刺激し、磁気と遠赤外線を用いて身体を内部から刺激することによって、従来と比べてマッサージの効果を著しく向上させたマッサージ治療機を提供することである。
また、本発明のマッサージ治療機では、足マッサージ機や手持ち式の温熱治療機を設けて身体を横臥させた状態で全身をマッサージすることを目的としている。
【０００６】
【課題を解決するための手段】
本発明の請求項１記載のマッサージ治療機では、身体を横臥可能な本体に、押圧ローラを備える台車と、身体の屈曲に沿った形状のガイドレールと、前記台車を前記ガイドレールに摺動させながら移動させる電動モータと、が内設され、前記台車が移動する際に前記押圧ローラが身体に密着して回転するマッサージ治療機において、
前記押圧ローラの内部に遠赤外線ヒータが設けられ、
前記押圧ローラの表面に磁石が混合された複数の揉み玉が設けられると共に、この揉み玉に前記遠赤外線ヒータが設けられた空間と外部に連通した開口孔が設けられ、
前記本体に、遠赤外線ランプが内設された押圧部を備える手持ち式の温熱治療機が設けられ、
前記押圧部はセラミック製で、表面に前記遠赤外線ランプが設けられた空間と外部に連通した開口部が設けられることを特徴とする。
【０００７】
請求項２記載の発明では、請求項１記載のマッサージ治療機において、前記本体に、身体を横臥させた状態の足の裏に突起を往復動させて衝打する足マッサージ機が設けられ、前記足マッサージ機は、水平方向位置調整可能に形成され、未使用時には前記マットの内部に格納可能に形成されることを特徴とする。
【０００８】
請求項３記載の発明では、請求項１〜２のいずれかに記載のマッサージ治療機において、前記台車に遠赤外線シートが設けられていることを特徴とする。
【０００９】
請求項４記載の発明では、請求項１〜３いずれか記載のマッサージ治療機において、前記磁石が混合された揉み玉に代えて、ゲルマニウム製の基材上に磁石を固定した揉み玉であって、遠赤外線の通過孔を備えた揉み玉を使用することを特徴とする。
【００１０】
請求項５記載の発明では、請求項１〜４いずれか記載のマッサージ治療機において、前記本体の背当て部の少なくともローラの通過部分に沿ってヒータを配設したことを特徴とする。
【００１１】
請求項６記載の発明では、請求項１〜５いずれかに記載のマッサージ治療機に、遠赤外線ヒータを内蔵した温熱マットを接続し、その温熱マットの表面にゲルマニウム製の基材上に磁石を固定した揉み玉であって、遠赤外線の通過孔を備えた揉み玉を多数配設したことを特徴とする。
【００１２】
【発明の実施の形態】
以下、図面に基づいて本発明のマーサージ治療機の実施の形態を説明する。
図１は本発明のマッサージ治療機の内部を説明する平面図、図２は図１のＡ−Ａ線によるマッサージ治療機の断面図（一部側面）である。
【００１３】
図１，２に示すように、本実施の形態のマッサージ治療機は、身体を横臥可能な本体としてのマット１（外形の二点鎖線にて図示）と、押圧ローラ２と、台車３と、ガイドレール４と、電動モータ５と、リモコン６と、電源ユニット７と、遠赤外線シート（一点鎖線で図示）８と、足マッサージ機１１と、温熱治療機１５と、を主要な構成としている。
【００１４】
マット１は、ポリウレタンフォームなどの弾力性のある素材（図示せず）を包容して形成され、使用者の身体を横臥可能な幅と全長で外形を成している。
【００１５】
台車３は、四隅に配置された車輪３ａを身体の屈曲に沿って上下に並設されたガイドレール４に摺動させながら移動可能に形成され、台車３上の両端側にそれぞれ対を成して２箇所ずつ、合計８個の押圧ローラ２が設けられている。
前記台車３の中央部には複数本のニードルベアリング２０が回転自在に設けられている。
さらに、台車３にはベルト９（二点鎖線で図示）が接続されると共に、このベルト９はピニオン９ａ，９ｂに連絡されると共に、前記ピニオン９ａは電動モータ５の回転軸に接続されている。
【００１６】
リモコン６は後述する遠赤外線ヒータ２ｊ，３ｆ、電動モータ５、電源ユニット７、遠赤外線シート８、足マッサージ機１１、温熱治療機１５にそれぞれ接続され、これらの動作を操作するためのものである。
【００１７】
電源ユニット７は一般用家庭用電源１００Ｖを電源とし、後述する遠赤外線ヒータ２ｊ，３ｆ、電動モータ５、遠赤外線シート８、足マッサージ機１１、温熱治療機１５にそれぞれ接続され電源を供給している。
前記遠赤外線シート８は、台車３の底面部に配置され、セラミック（図示せず）を加熱して遠赤外線を発生するものである。
【００１８】
足マッサージ機１１は使用者を横臥させた状態の足の裏をマッサージするためのものであって、図３（ａ）に示すように、突起１１ａが足の裏の踵と土踏まずに対応する位置に２箇所、両足で合計４箇所設けられ、この突起１１ａがソレノイド（図示せず）によって所定のリズムで水平方向に往復動することによって、足の裏を衝打するようになっている。
また、前記足マッサージ機１１は台車１１ｂの枢軸１１ｆに回動自在に固定され、さらに、スプリング１１ｃによって水平方向に付勢されている。
従って、足マッサージ機１１の使用時は台車１１ｂの車輪１１ｄをレール１１ｅに摺動させることにより使用者に合わせて水平方向位置調整可能となっている。
さらに、足マッサージ機１１の未使用時には、図３（ｂ）に示すように回動させてマット１内に格納できるようになっている。
【００１９】
温熱治療機１５は、図４に示すように、セラミック製で卵型に形成される押圧部１５ａが合計８箇所設けられ、この押圧部１５ａの内部は遠赤外線ランプ１５ｂが設けられている。
また、前記押圧部１５ａの頂点位置には前記遠赤外線ランプ１５ｂの設けられた空間と外部に連通した開口部１５ｃが設けられている。
従って、温熱治療機１５の使用時は、押圧部１５ａが熱せられてその表面から遠赤外線が放射され、さらに開口部１５ｃを介して遠赤外線が放射されるため、この押圧部１５ａを使用者の腹部などの上方に直接当ててマッサージできるようになっている。
【００２０】
次に、図５〜７に基づいて本実施の形態の押圧ローラ２について説明する。
なお、押圧ローラ２はニードルベアリング２０を挟んだ状態で台車３の両側にそれぞれ対を成して２箇所ずつ、合計８個の押圧ローラ２が設けられているが、ここでは台車３の一方側に設けられた押圧ローラ２を図示して説明する。
図５は押圧ローラ２の平面図、図６は図５のＢ−Ｂ線による押圧ローラ２を示す図、図７は図５の矢視Ｃによる押圧ローラ２を示す図である。
【００２１】
図５に示すように、押圧ローラ２は左右に対を成し、中央より上下対称位置にそれぞれ配置されている。
また、図６（ａ）に示すように、前記押圧ローラ２は３つの回転ローラ２ａ〜２ｃで構成されている。
前記回転ローラ２ａ〜２ｃはそれぞれ両端側に樹脂リング２ｄが嵌合されると共に、これら樹脂リング２ｄは内部に挿通されたローラシャフト２ｇに軸支されることによって、それぞれ独立して回転可能となっている。
【００２２】
また、前記回転ローラ２ａ〜２ｃには磁石が混合した硬質プラスチックの揉み玉２ｈが複数個設けられている。
前記揉み玉２ｈは通称フェライトプラスチック磁石と呼ばれ、熱硬化性樹脂とフェライト粉末または希土類磁石粉末を混合して均一にした後、噴出成形して成型加工されたものである。
また、前記揉み玉２ｈには開口孔２ｉが設けられている。なお、開口孔２ｉは図中において二箇所のみ図示されているが、実際には回転ローラ２の中心から放射状に複数の個所に設けられている（図７参照）。
そして、前記ローラシャフト２ｇの中央内部には遠赤外線ヒータ２ｊが内設され、この遠赤外線ヒータ２ｊが設けられた空間はローラシャフト２ｇの開口部２ｋを介して揉み玉２ｈの開口孔２ｉと通じている。
【００２３】
２ｌは前記ローラシャフト２ｇの開口部２ｋが上方となるように固定しているブラケットであって、上部ベース３ｂに固定されている。
さらに、前記上部ベース３ｂは下部ベース３ｃとピポット軸３ｄで軸支され、揺動自在に固定されている（図６（ｂ）参照）。
なお、３ｅはダンパであって上部ベース３ｂと下部ベース３ｃとの四隅の衝突を避けるためスプリングである。
また、前記下部ベース３ｃの中央には、揉み玉２ｈと同一の素材で形成され、かつ、遠赤外線ヒータ３ｆが内設された遠赤外線機１０が配置されている。
【００２４】
続いて、本実施の形態のマッサージ治療機の動作を説明する。
使用者がマット１の上に横臥してマッサージ治療機をリモコン６で作動させると、押圧ローラ２の遠赤外線ヒータ２ｊ、遠赤外線機１０の遠赤外線ヒータ３ｆ、遠赤外線シート８から遠赤外線が放射される。
なお、足マッサージ機１１や温熱治療機１５は適宜作動させ、足マッサージ機１１で足の裏をマッサージしたり、温熱治療機１５の揉み玉１５ａを使用者の上方の部位、例えば腹部や胸部に直接当ててマッサージする。
【００２５】
次に、電動モータ５を作動させるとピニオン９ａが回転駆動し、ベルト９を介して台車３がガイドレール２に沿って摺動しながら所定速度で往復移動を繰り返す。
このとき、台車３の両端部に設けられた押圧ローラ２はそれぞれ台車３とピポット軸３ｄで揺動自在となっているため、常に押圧ローラ２の揉み玉２ｈが身体に密着しながら回転移動する。
【００２６】
前記押圧ローラ２は使用者の身体に密着して回転する際に、押圧ローラ２の揉み玉２ｈが身体のツボを刺激すると共に、揉み玉２ｈの開口孔２ｉとローラシャフト２ｇの開口部２ｋとが一致して遠赤外線ヒータ２ｊの遠赤外線が身体に直接放射されるようになっている。
【００２７】
さらに、揉み玉２ｈの周囲には磁石による磁場が形成され、台車３がガイドレール４の両端を左右に往復移動する際に様々な身体のツボに作用している。
なお、台車３が使用者の臀部下方に位置する場合は、ニードルベアリング２０が臀部に密着して回転するため、身体の屈曲が台車３の移動の妨げにならないようになっている。
【００２８】
従って、本実施の形態のマッサージ治療機にあっては、複数の揉み玉２ｈが身体を次々とテンポ良く押圧し、身体のツボや筋肉に刺激を与えることができる。
【００２９】
さらに、回転ローラ２ａ〜２ｃがそれぞれ独立して回転することにより、様々な身体のツボを数多く押圧することができる。
【００３０】
また、ローラシャフト２ｇの開口部２ｋが上方に開口しているため、常に遠赤外線ヒータ２ｊの遠赤外線が上方に向かって放射され、回転してくる揉み玉２ｈの開口孔２ｉを通じて身体に遠赤外線が効率的に伝わる。
遠赤外線機１０によって、遠赤外線の効果に即効性を持たせることができる。
足マッサージ機１１や温熱治療機１５を併用することにより、使用者はマット１に横臥した状態で足の裏や腹部などの上方の部位も同時にマッサージできる。
【００３１】
次に、実施の形態２に係るマッサージ治療機について説明する。
本実施の形態の説明において、前記実施の形態１と同一の構成要素については同一の符号を付してその説明は省略する。
実施の形態２のマッサージ治療機は図９に示すように、身体を横臥可能な本体としてのマット１（外形の二点鎖線にて図示）と、押圧ローラ２と、台車３と、ガイドレール４と、電動モータ５と、リモコン６と、電源ユニット７と、足マッサージ機１１を主要な構成としている。
前記実施の形態１では８個の押圧ローラを、４個づつ２連に分けて配置したが、本実施の形態では、それを１連として、台車３の幅を狭くし、さらに、背当て部にヒータ３０を配設した構成である。
【００３２】
前記ヒータ３０は図９中斜線部分で示されるところであり、本体の左右に１枚づつ、合計２枚の板状ヒータ３０によって構成され、それらのヒータ３０は台車３の下側に配置され、台車３（ローラ２）の移動部分の全長に渡って配設されている。内部には電熱線が備えられ、荷電により、表面の板状セラミックを加熱して遠赤外線を放出させるしくみとなっている。
このように、背当て部分にヒータ３０を配設することにより、揉み玉２ｈからの遠赤外線効果に加えて、背当て部全体から遠赤外線による暖熱効果が得られる。
台車が１連となっているので、患部にスポットを当てることが可能となり、また、背面ヒータからの遠赤外線が遮られずに十分に照射される。
【００３３】
次に図１０〜図１２に基づいて実施の形態３に係るマッサージ治療機を説明する。
実施の形態３に係るマッサージ治療機は、前記実施の形態１、２のマッサージ治療機の揉み玉２ｈに代えて、ゲルマニウム製の円盤３１上に磁石３２を固定した揉み玉２ｍを使用したものである。
本発明に用いるゲルマニウムとしては無機ゲルマニウムや、有機ゲルマニウム（例えば、炭素２〜１０個を含む有機ゲルマニウム錯体）を初め、ゲルマニウムを含むものが適用できるが、純度９９％以上の無機ゲルマニウムが好ましい。
ゲルマニウムは肩こり、腰痛、筋肉痛などを解消する鎮痛効果や消炎効果を有している。
【００３４】
前記ゲルマニウム製の円盤３１の大きさは一例として直径２〜４ｃｍ、厚さ５〜６ｍｍであり、円盤３１の中央には雌ねじ孔３３が貫通している。この雌ねじ孔３３に磁石３２の雄ねじ３４がねじ込まれて固定されている。
前記磁石３２は半球型の頭部３５と、そこから突設した雄ねじ３４によって略きのこ型に構成され、雄ねじ３４がゲルマニウム製の円盤３１の雌ねじ孔３３に固着するようになっている。
また、磁石のねじ軸の中心を貫通して孔３６が形成され、この孔３６を通過して遠赤外線が放出されるようになっている。
また、孔３６の先端は六角に形成されて締め付け工具の挿入孔となっている。
【００３５】
この揉み玉２ｍをローラ２に装着する際には、先端の磁石３２はＮ極、Ｓ極を交互に隣り合わせた状態で並べ、磁石３２同士の磁力線が通過しながらマッサージ効果を発揮するようにする。
また、前記実施の形態で説明した足マッサージ機１１の突起１１ａとしてこの揉み玉２ｍを使用することも可能である。
揉み玉２ｍの固定方法としては接着剤、あるいは取付金具等により、任意の方法により押圧ローラ２上または足マッサージ機１１に固定する。
【００３６】
ここで、前記揉み玉２ｈ、２ｍにトルマリンを含有させることも可能である。
このトルマリンは、電気石とも呼ばれるように、その結晶の両端には電極が生じて、マイナスイオンを発する他、遠赤外線を発生し、また界面活性効果を有するなどの特性を持っている。
前記２ｈ、２ｍ全体をトルマリンとして、または内部にトルマリンの粉末を含有させることにより、患部にトルマリンから発生するマイナスイオンが働き、また、トルマリンの界面活性効果及び遠赤外線が患部に作用するようになる。
【００３７】
次に、実施の形態４に係るマッサージ治療機を説明する。
実施の形態４のマッサージ治療機は、図１３，１４に示すような遠赤外線マット４０を備えたものである。
この遠赤外線マット４０はポリウレタンフォーム等の弾力性のある素材を包容して形成され、内部に遠赤外線を放出する面状のヒータ４１を備えている。
表面の両端を除いた中央部分に全体に揉み玉２ｍが所定間隔で敷き詰められている。
この揉み玉２ｍは前記実施の形態３で説明したものであり、ゲルマニウム製（またはトルマリン）の円盤３１上に磁石３２を固定したものであり、先端の磁石３２のＮ極とＳ極が交互に隣接している。
内部のヒータ４１に荷電すると、面として全体が加熱され、遠赤外線の効果、ゲルマニウムの効果、磁力線による効果によりマッサージ効果が得られる。
または、トルマリンから発生するマイナスイオンが働き、また、トルマリンの界面活性効果及び遠赤外線が患部に作用するようになる。
マッサージ治療機には温熱治療機１５と同様にコード４２によって本体に接続されて、リモコンによって制御される。使用方法も同様に、揉み玉２ｍ側を腹部などの上方に直接当ててマッサージを行う。
尚、この遠赤外線マット４０は幅広として、全面に揉み玉２ｍを配置して、横臥した身体全体をカバーするマットレス等として使用することも可能である。
【００３８】
次に、実施の形態５に係るマッサージ治療機を説明する。
実施の形態５のマッサージ治療機は、図１５に示すような足マッサージ機５０を備えたものである。
この足マッサージ機５０は前記足マッサージ機１１と同様に本体に横臥した状態で伸ばした足の裏をマッサージするものであって、図１５に示すように、突起５１が足の踵と土踏まずに対応する位置に左右２箇所、両足で４個設けられ、この突起５１がソレノイドによるバイブレータ５２によって所定のリズムで水平方向に往復動することによって、足の裏を衝打するようになっている。
また、足マッサージ機５０の下は支持枠５３内にレール上を移動可能に支持され、足マッサージ機５０が足裏に当接するようにスプリングによって付勢されている。
そのため、本体に横臥して足をスプリングに抗して突起に当てて伸ばすと、突起５１がスクリングによって足の裏を押圧し、バイブレータ５２の作用によって足の裏をマッサージする。
本体への接続は、足が突起に当接するように、支持枠５３を本体に接続するのであるが、その接続方法は取り付け具、バンド等により、任意の方法によって本体に固定する。
【００３９】
また、突起５１は台座５４とその前面に配置された３個の磁石３２によって構成されている。この磁石３２は前記実施の形態３で説明したものと同一であり、半球型の頭部３５と、そこから突設した雄ねじ３４によって略きのこ型に構成されている。
そして、その雄ねじが台座５４に固定され、３個の磁石が保持されている。
また、台座５４は直径３〜４ｃｍ程度の円柱状であり、基部はソレノイドによるバイブレータ５２に接続され、磁石３２の台座５４はトルマリンを含有した合成樹脂、あるいはゲルマニウムによって構成されている。
この、足マッサージ機５０によって、トルマリン、磁石、ゲルマニウムの作用による優れたマッサージ効果が得られる。
【００４０】
以上、本発明の実施の形態を説明してきたが、本発明の具体的構成は本実施の形態に限定されるものではなく、発明の要旨を逸脱しない範囲の設計変更などがあっても本発明に含まれる。
例えば、揉み玉２ｈの磁石と混合させる素材はプラスチック以外にセラミック、金属、ゴムなどの弾性体を用いても構わない。
押圧ローラ２、回転ローラ２ａ〜２ｃ、揉み玉２ｈ、遠赤外線機１０の設置数は適宜設定することができる。
遠赤外線ヒータ２Ｊは遠赤外線を発するものであれば良く、これ以外に赤外線ランプなどを用いても良い。
【００４１】
また、図８に示すように、足に位置する部分を取り外し可能な構造にして、内部にバイブレータを設けても良い。
【００４２】
【発明の効果】
以上説明してきたように、本発明の請求項１記載のマッサージ治療機にあっては、上述したように構成したため、回転する押圧ローラの揉み玉による身体外部を刺激するマッサージと、磁気及び遠赤外線による身体内部を刺激するマッサージの両方を同時に行うことができ、従来と比べて身体を引張したり不快な痛みを伴うことなくマッサージの効果を体感することができる。
【００４３】
遠赤外線ヒータの放射する遠赤外線によって身体の皮下深層の温度が上昇し、微細血管の拡張、血流循環の促進、代謝障害の一掃、組織の賦活、酵素生成促進などの様々な効果を得ることができる。
【００４４】
揉み玉には磁石が混合されているため、押圧ローラが身体に沿ってマッサージする際に、揉み玉の周囲に形成される磁場が身体のツボを刺激し、微細血管の拡張、血流循環の促進の効果を得られる。
また、従来のように身体のツボを探して治療する必要がない。
【００４５】
また、押圧ローラが台車にピポット軸で揺動自在に軸支されていることにより、マッサージ中に押圧ローラの揉み玉が使用者の身体に密着して効果的にマッサージすることができる。
【００４６】
請求項２記載のマッサージ治療機にあっては、身体を横臥した状態で足マッサージ機を用いて足の裏をマッサージすることができる。
足マッサージ機は水平方向位置調整が可能であるため、使用者の足の裏にマッチする。
また、未使用時や運搬時には足マッサージ機を本体に格納してコンパクトにまとめることができる。
【００４７】
請求項１記載のマッサージ治療機にあっては、身体を横臥した状態で温熱治療機を用いて腹部や胸部などをマッサージすることができる。
また、温熱治療機の押圧部に開口部が設けられることにより、遠赤外線が直接身体に放射され、遠赤外線による様々な効果が得られる。
【００４８】
請求項３記載のマッサージ治療機にあっては、遠赤外線シートが身体の発汗作用を促し、汗腺から生体にたまった老廃物や、不要有害重金属、加工食品中の有害物、あるいは疲労や老化の原因である乳酸、遊離脂肪酸、脂肪、皮下脂肪、高血圧症の原因となる余分なナトリウム、疼痛の原因になる尿酸などを排泄させることができる。
また、身体をすばやく暖めて遠赤外線効果に即効性を持たせることができるという効果を奏する。
【００４９】
請求項４記載のマッサージ治療機にあっては、ゲルマニウム製の基材上に磁石を固定した揉み玉であって、遠赤外線の通過孔を備えた揉み玉を使用する構成としたので、磁力線によるマッサージ効果に加え、ゲルマニウムによる肩こり、腰痛、筋肉痛などを解消する鎮痛効果や消炎効果が得られる。
【００５０】
請求項５記載のマッサージ治療機にあっては、前記本体の背当て部の少なくともローラの通過部分に沿ってヒータを配設したので、背当て部全体から遠赤外線による暖熱効果が得られる。
【００５１】
請求項６記載のマッサージ治療機にあっては、マッサージ治療機に、遠赤外線ヒータを内蔵した温熱マットを接続し、その温熱マットの表面にゲルマニウム製の基材上に磁石を固定した揉み玉であって、遠赤外線の通過孔を備えた揉み玉を多数配設したので、身体を横臥した状態で遠赤外線マットを用いて腹部や胸部などをマッサージすることができる。
そして、遠赤外線の効果、ゲルマニウムの効果、磁力線によるマッサージ効果が得られる。
【図面の簡単な説明】
【図１】  本発明の実施の形態のマッサージ治療機の内部を説明する平面図である。
【図２】  図１のＡ−Ａ線によるマッサージ治療機の断面図（一部側面）である。
【図３】  足マッサージ機１１の側面図（ａ）及び格納時の状態（ｂ）を示す図である。
【図４】  温熱治療機１５の側面図である。
【図５】  本実施の形態の台車３と押圧ローラ２を示す図である。
【図６】  図５のＢ−Ｂ線による押圧ローラ２を示す図である。
【図７】  図５の矢視Ｃによる押圧ローラ２を示す図である。
【図８】  その他の実施の形態を示す図である。
【図９】  実施の形態２に係るマッサージ治療機の内部を説明する平面図である。
【図１０】  実施の形態３に係る揉み玉の斜視図である。
【図１１】  実施の形態３に係る揉み玉の平面図である。
【図１２】  実施の形態３に係る揉み玉のＦ−Ｆ断面図である。
【図１３】  遠赤外線マットの平面図である。
【図１４】  遠赤外線マットの側面図である。
【図１５】  足マッサージ機の説明図である。
【符号の説明】
１  マット
２  押圧ローラ
２ａ、２ｂ、２ｃ  回転ローラ
２ｄ  樹脂リング
２ｇ  ローラシャフト
２ｈ  揉み玉
２ｉ  開口孔
２ｊ、３ｆ  遠赤外線ヒータ
２ｋ  開口部
２ｌ  ブラケット
２ｍ  揉み玉
３  台車
３ａ  車輪
３ｂ  上部ベース
３ｃ  下部ベース
３ｄ  ピポット軸
３ｅ  ダンパ
４  ガイドレール
５  電動モータ
６  リモコン
７  電源ユニット
８  遠赤外線シート
９  ベルト
９ａ、９ｂ  ピニオン
１０  遠赤外線機
１１  足マッサージ機
１１ａ  突起
１１ｂ  台車
１１ｃ  スプリング
１１ｄ  車輪
１１ｅ  レール
１１ｆ  枢軸
１５  温熱治療機
１５ａ  押圧部
１５ｂ  遠赤外線ランプ
１５ｃ  開口部
１５ａ  押圧部
２０  ニードルベアリング
３０  ヒータ
３１  円盤
３２  磁石
３３  雌ねじ孔
３４  雄ねじ
３５  頭部
３６  孔
４０  遠赤外線マット
４１  ヒータ
４２  コード
５０  足マッサージ機
５１  突起
５２  バイブレータ
５３  支持枠
５４  台座
【図１】
0003671044.tif 000002
【図２】
0003671044.tif 000003
【図３】
0003671044.tif 000004
【図４】
0003671044.tif 000005
【図５】
0003671044.tif 000006
【図６】
0003671044.tif 000007
【図７】
0003671044.tif 000008
【図８】
0003671044.tif 000009
【図９】
0003671044.tif 000010
【図１０】
0003671044.tif 000011
【図１１】
0003671044.tif 000012
【図１２】
0003671044.tif 000013
【図１３】
0003671044.tif 000014
【図１４】
0003671044.tif 000015
【図１５】
0003671044.tif 000016